(57)【要約】【課題】ある放送方式（例えば、１２セグメント）の放送番組に設定されたチャプタ情報やレジュームポイントを他の放送方式（例えば、１セグメント）の放送番組に正確に引き継ぐこと。【解決手段】１２セグメント放送番組及び１セグメント放送番組共に番組の本編からコマーシャルへの切り替わり時刻の検出処理を行い、両番組で検査されたＣＭ開始時刻のズレ量から両放送の開始時刻のズレを算出し、１２セグメント放送番組から１セグメント放送番組にチャプタ情報やレジュームポイントを引継ぐ時にズレ量分を加味することを特徴とする。【選択図】図４
2010206744.tif 000002
【特許請求の範囲】
【請求項１】
第１の放送番組と、第１の放送番組と同一チャンネルで放送され符号化方式の異なる同一コンテンツである第２の放送番組を受信して同時に録画可能な録画装置であって、
前記第２の放送番組が前記第１の放送番組に対し遅延して放送されており、また、前記第１の放送番組に対しチャプタ情報が付与されて前記録画装置に記憶されている場合において、
前記録画装置は、
前記第１の放送番組と前記第２の放送番組とを受信可能な受信部と、
ユーザの指示を受け付けるユーザ指示受付部と、
前記受信部が受信した第１の放送番組と第２の放送番組とを同時に録画可能な記録部と
前記第２の放送番組の前記第１の放送番組に対する遅延量を検出する検出部と、
記録媒体を受け付け可能な記録媒体受付部と、
前記ユーザ指示受付部が前記記録部に記録されている第１の放送番組と第２の放送番組とからなるコンテンツのダビング指示を受け付けた場合に、前記記録媒体受付部が受け付けた記録媒体に対し、前記第２の放送番組を書き込み、且つ、前記第１の放送番組のチャプタ情報と前記遅延量に応じて前記第２の放送番組のチャプタ情報を算出して、その算出したチャプタ情報を第２の放送番組とともに書き込むダビング部と、を備えた録画装置。
【請求項２】
前記検出部は、
第１の放送番組のコマーシャル放送期間を検出する第１のコマーシャル検出手段と、
第２の放送番組のコマーシャル放送期間を検出する第２のコマーシャル検出手段と、
を備え、
前記第１のコマーシャル検出手段が検出した第１の放送番組のコマーシャル放送期間と前記第２のコマーシャル検出手段が検出した第２の放送番組のコマーシャル放送期間とに基づき、前記第２の放送番組の前記第１の放送番組に対する遅延量を算出することを特徴とする請求項１記載の録画装置。
【請求項３】
前記チャプタ情報は、再生中の番組を停止した時間を示すレジューム情報であることを特徴とする、請求項１または２のいずれかに記載の録画装置。
【請求項４】
前記チャプタ情報は、前記ユーザ指示受付部が受け付けたユーザによる第１の放送番組に対するチャプタ情報であることを特徴とする、請求項１または２のいずれかに記載の録画装置。
【請求項５】
前記ダビング部により第２の放送番組をダビングする場合に、その第２の放送番組に対応する第１の放送番組の一部が消去されている場合に、その消去されている期間の開始時刻と終了時刻に関する情報をチャプタ情報として前記第２の放送番組に付与する場合において、その付与するチャプタ情報を前記遅延量に基づき遅延させることを特徴とする請求項１に記載の録画装置。
【請求項６】
第１の放送番組と、第１の放送番組と同一チャンネルで放送され符号化方式の異なる同一コンテンツである第２の放送番組を受信して同時に録画可能な録画装置であって、
前記第２の放送番組が前記第１の放送番組に対し遅延している場合において、
前記録画装置は、
前記第１の放送番組と前記第２の放送番組とを受信可能な受信部と、
ユーザの指示を受け付けるユーザ指示受付部と、
前記受信部が受信した第１の放送番組と第２の放送番組とを録画可能な記録部と
前記第２の放送番組の前記第１の放送番組に対する遅延量を検出する検出部と、
を備え、
前記記録部に第１の放送番組と第２の放送番組を記録する場合に、前記遅延量に基づき、第２の放送番組の記録が終了する終了時間を第１の放送番組の記録が終了する終了時間より遅延させる、
録画装置。
【請求項７】
第１の放送番組と、第１の放送番組と同一チャンネルで放送され符号化方式の異なる同一コンテンツである第２の放送番組を受信して同時に録画可能な録画装置であって、
前記第２の放送番組が前記第１の放送番組に対し遅延して放送されており、また、前記第１の放送番組に対しチャプタ情報が付与されて前記録画装置に記憶されている場合において、
前記録画装置は、
前記第１の放送番組と前記第２の放送番組とを受信可能な受信部と、
ユーザの指示を受け付けるユーザ指示受付部と、
前記受信部が受信した第１の放送番組と第２の放送番組とを同時に録画可能な記録部と
前記第２の放送番組の前記第１の放送番組に対する遅延量を検出する検出部と、
記録媒体を受け付け可能な記録媒体受付部と、
前記ユーザ指示受付部が前記記録部に記録されている第１の放送番組と第２の放送番組とからなるコンテンツのダビング指示を受け付けた場合に、前記記録媒体受付部が受け付けた記録媒体に対し、前記第２の放送番組を書き込み、且つ、前記第１の放送番組のチャプタ情報と前記遅延量を第２の放送番組とともに書き込むダビング部と、を備えた録画装置。
【発明の詳細な説明】
【技術分野】
【０００１】
本発明は、同一チャンネルを複数の帯域に分割し、該帯域毎に異なる符号化方式を採用できる地上デジタル放送において、同一チャンネルで異なる符号化方式の番組（１２セグメントが割り当てられた番組と１セグメントが割り当てられた番組）を同時に記録し、記録した１セグメント放送番組を記録メディアにダビングすることを特徴とする録画装置に関する。
【背景技術】
【０００２】
最近、地上デジタル放送の魅力のひとつであるモバイル向け放送（１チャンネルを１３セグメントに分け、１セグメント分を使用した放送）が再生可能な携帯端末装置が開発されている。
【０００３】
また、地上デジタル放送の１２セグメント放送番組と１セグメント放送番組を同時に記録する技術が開示されている（例えば、特許文献１に記載）。また、同時に記録した１セグメント放送番組を記録メディアにダビング可能な録画装置が開発され、録画装置にて１２セグメント放送番組を比較的大きな表示装置で途中まで視聴し、同一放送の１セグメント放送番組を記録メディアにダビングし、ダビングした記録メディアを用いて、携帯端末で、再生中断した位置から継続して視聴することが可能である。
【特許文献１】特開２００８−２５２５９０号公報
【発明の開示】
【発明が解決しようとする課題】
【０００４】
従来の録画装置では、例えば、１２セグメント放送番組と１セグメント放送番組など、同一の番組が複数の放送方式で放送されている場合において、放送時間に数秒単位でズレが生じることにより、ある放送方式（例えば１２セグメント）の放送番組のチャプタ情報や再生中断位置情報（レジュームポイント）をそのまま他の放送方式（例えば、１セグメント）放送番組に使用すると、他の放送方式のチャプタ情報や再生中断位置情報がずれてしまうという課題があった。
【０００５】
そこで本発明は、ある放送方式（例えば、１２セグメント）の放送番組に設定されたチャプタ情報やレジュームポイントを他の放送方式（例えば、１セグメント）の放送番組に正確に引き継ぐことを特徴とする。
【課題を解決するための手段】
【０００６】
上記課題を解決する為、本発明の録画装置は、第１の放送番組と、第１の放送番組と同一チャンネルで放送され符号化方式の異なる同一コンテンツである第２の放送番組を受信して同時に録画可能な録画装置であって、第２の放送番組が第１の放送番組に対し遅延して放送されており、また、第１の放送番組に対しチャプタ情報が付与されて録画装置に記憶されている場合において、録画装置は、第１の放送番組と第２の放送番組とを受信可能な受信部と、ユーザの指示を受け付けるユーザ指示受付部と、受信部が受信した第１の放送番組と第２の放送番組とを同時に録画可能な記録部と第２の放送番組の第１の放送番組に対する遅延量を検出する検出部と、記録媒体を受け付け可能な記録媒体受付部と、ユーザ指示受付部が記録部に記録されている第１の放送番組と第２の放送番組とからなるコンテンツのダビング指示を受け付けた場合に、記録媒体受付部が受け付けた記録媒体に対し、第２の放送番組を書き込み、且つ、第１の放送番組のチャプタ情報と遅延量に応じて第２の放送番組のチャプタ情報を算出して、その算出したチャプタ情報を第２の放送番組とともに書き込むダビング部と、を備える。
【発明の効果】
【０００７】
本発明により、ある放送方式（例えば、１２セグメント）の放送番組のチャプタ情報やレジュームポイントを、他の放送方式（例えば、１セグメント）の放送番組に正確に引き継ぐことを特徴とした録画装置を提供することが出来る。
【発明を実施するための最良の形態】
【０００８】
以下本発明を実施するための最良の形態について、図面を参照しながら説明する。
【０００９】
（実施の形態１）
図１は、本実施形態に係る録画装置１００の構成を示す図である。図１に示すように録画装置は、アンテナ１０１と、チューナ１０２、復調部１０３，記録部１０４、ＡＶデコーダ１０５、出力部１０６、リモコン受光部１０７、ＣＰＵ１０８、記録媒体受付部１０９で構成される。また、ユーザはリモコン２００を用いて、録画装置１００の動作を制御することができる。
【００１０】
アンテナ１０１は、複数チャンネルが混在した放送用の電波を受信する。チューナ１０２は、放送用の電波の中からＣＰＵ１０８で指定された特定チャンネルを選択し、指定された特定のチャンネルの信号のみを出力する。
【００１１】
復調部１０３は、受信した特定チャンネルの信号をＣＰＵ１０８の指示に基づきＯＦＤＭ復調し、１２セグと１セグのＭＰＥＧ―ＴＳを出力する。
【００１２】
記録部１０４はＣＰＵ１０８の指示により、１２セグと１セグのＭＥＰＧ−ＴＳデータを記録する。再生時には記録部１０４に記録されたＭＥＰＧ−ＴＳデータが読み出される。記録部１０４は、例えば、ハードディスクが該当する。
【００１３】
ＡＶデコーダ１０５はＣＰＵ１０８の指示により、入力した１２セグと１セグのＭＰＥＧ−ＴＳをデコードし、映像データと音声データをデジタルデータとして出力する。出力部１０６は、入力した映像と音声のデジタルデータを所定の形式に変換し出力する。出力部１０６は、例えばＨＤＭＩ端子が該当する。
【００１４】
リモコン２００はユーザが操作し、リモコン信号を出力する。リモコン受光部１０７は、リモコン２００から出力されたリモコン信号を受光し、機器操作用のリモコンコードとして出力する。
【００１５】
ＣＰＵ１０８は、リモコン受光部１０７より出力されるリモコンコードの解析及びユーザの各操作に従い、選局動作・復調動作・記録再生動作・ＡＶデコード動作及び記録メディアへの記録動作など、録画装置１００を制御する。
【００１６】
記録媒体受付部１０９は、挿入される記録メディアを受け付け、記録メディアへの記録を行う。記録媒体受付部１０９が受け付ける記憶メディアは、ＤＶＤディスクやブルーレイディスクに代表されるディスク型の記憶メディアでもよいし、ＳＤカードなどに代表されるカード型の記録メディアでも良い。
【００１７】
ユーザによるダビング要求を受け付けた場合には、記録部１０４に記録されている１セグのＭＥＰＧ−ＴＳを、記録媒体受付部１０９に挿入されている記録メディアにダビングを行う。
【００１８】
図２は、地上デジタル放送において、１２セグメントが割り当たっている放送番組と１セグメントが割り当たっている放送番組において、同時刻の放送内容がお互いにズレていることを概略的に示す図である。
【００１９】
図２上部の１２セグ放送部分は横軸（ｔ）の時間の経過と共に１２セグ放送番組の本編を放送している１２セグ放送の本編区間と、コマーシャル（ＣＭ）を放送している１２セグ放送のＣＭ区間とが、切り替わっていることを示している。
【００２０】
図２下部１セグ放送部分は横軸（ｔ）の時間の経過と共に１セグ放送番組の本編を放送している１セグ放送の本編区間と、コマーシャル（ＣＭ）を放送している１セグ放送のＣＭ区間とが、切り替わっていることを示している。このように、同時刻に同一コンテンツが放送されている場合においても、１２セグ放送に比べ１セグ放送が遅れて放送されている。
【００２１】
図３は、１２セグメントで放送される番組と１セグメントで放送される番組のズレ量（ΔＴ）を算出するフローチャートである。まず、録画装置１００は、特定チャンネルを受信した１２セグメント放送番組及び１セグメント放送番組の記録中に、ＣＰＵ１０８がそれぞれの１２セグメント放送番組及び１セグメント放送番組の本編からＣＭへの切り替わり時間を検出する（Ｓ１０）。
【００２２】
次に、検出した１２セグメント放送及び１セグメント放送の本編からＣＭへの切り替わり時間を比較する（Ｓ２０）。
【００２３】
各放送の本編からＣＭへの切り替わり時間の比較結果より、１２セグメントで放送される番組と１セグメントで放送される番組の開始時刻のズレ量（ΔＴ）を算出する（Ｓ３０）。
【００２４】
図４は、記録部１０４に記録されている１セグ記録コンテンツを記録媒体受付部１０９に記録されている記録メディアにダビングする時のフローチャートである。
【００２５】
まずユーザ操作により、記録部１０４に記録されている特定の１セグ記録コンテンツを記録媒体受付部１０９に挿入された記録メディアへのダビング実行指示を受け付ける（Ｔ１０）。
【００２６】
リモコン受光部１０７がダビング実行指示を受け付けると、ＣＰＵ１０８は記録部１０４に記録されているユーザに指示された１セグ記録コンテンツを記録媒体受付部１０９に挿入されている記録メディアにダビングする（Ｔ２０）。
【００２７】
次に、ＣＰＵ１０８はダビング対象に指定された１セグ記録コンテンツと同じ１２セグ記録コンテンツに再生中断位置情報（レジュームポイント）が設定されているかどうかを判断する（Ｔ３０）。
【００２８】
設定されている場合、ＣＰＵ１０８は１２セグ記録コンテンツのレジュームポイントに図３に記載の動作において検出したズレ量（ΔＴ）を加算する事でズレ量分を補正する。ＣＰＵ１０８はダビングした１セグ記録コンテンツのレジュームポイントとして記録メディアに書き込む（Ｔ４０）。
【００２９】
図５は、図４で説明したズレ量（ΔＴ）の加算を説明する為の図である。図５は、記録媒体受付部１０９に挿入された記録メディアへ１セグ記録コンテンツのダビング実行時に、記録部１０４に記録されているダビング元と同じ放送の１２セグ記録コンテンツに設定されているチャプタ情報を、１セグ記録コンテンツへ引き継ぐことを示している。
【００３０】
図５上部の１２セグ記録コンテンツは、横軸を記録されたコンテンツの記録長（ｔ）とし、記録部１０４に記録された１２セグ記録コンテンツのｔＡ位置にチャプタＡが設定され、ｔＢ位置にはチャプタＢが設定されていることを示している。
【００３１】
図５下部の１セグ記録コンテンツは、横軸を記録されたコンテンツの記録長（ｔ）とし、記録媒体受付部１０９に挿入されている記録メディアに１セグ記録コンテンツをダビング実行後、１２セグ記録コンテンツに設定されているチャプタＡ及びチャプタＢ情報を、ダビング先の１セグ記録コンテンツにそれぞれチャプタＣ及びチャプタＤとして記録媒体に書き込むことを示している。
【００３２】
この時、図３で検出したズレ量（ΔＴ）を加算する事で放送番組のズレ量分を補正し、それぞれのチャプタ位置をチャプタＣ＝ｔＡ＋ΔＴ、チャプタＤ＝ｔＢ＋ΔＴとして記録メディアに書き込む。
【００３３】
つまり、本実施の形態の録画装置１００は、１２セグ放送番組と、１２セグ放送番組と同一チャンネルで放送され符号化方式の異なる同一コンテンツである１セグ放送番組を受信して同時に録画可能な録画装置１００であって、１セグ放送番組が１２セグ放送番組に対し遅延して放送されており、また、１２セグ放送番組に対しチャプタ情報が付与されて録画装置１００に記憶されている場合において、録画装置１００は、１２セグ放送番組と１セグ放送番組とを受信可能なアンテナ１０１及びチューナ１０２と、ユーザの指示を受け付けるリモコン受光部１０７と、アンテナ１０１及びチューナ１０２が受信した１２セグ放送番組と１セグ放送番組とを同時に録画可能な記録部１０４と１セグ放送番組の１２セグ放送番組に対する遅延量を検出するＣＰＵ１０８と、記録媒体を受け付け可能な記録媒体受付部１０９と、リモコン受光部１０７が記録部１０４に記録されている１２セグ放送番組と１セグ放送番組とからなるコンテンツのダビング指示を受け付けた場合に、記録媒体受付部１０９が受け付けた記録媒体に対し、１セグ放送番組を書き込み、且つ、１２セグ放送番組のチャプタ情報と遅延量に応じて１セグ放送番組のチャプタ情報を算出して、その算出したチャプタ情報を１セグの放送番組とともに書き込むＣＰＵ１０８と、を備えている。
【００３４】
また、本実施の形態の録画装置１００は、１２セグ放送番組のコマーシャル放送期間を検出するＣＰＵ１０８と、１セグ放送番組のコマーシャル放送期間を検出するＣＰＵ１０８と、を備え、ＣＰＵ１０８が検出した１２セグの放送番組のコマーシャル放送期間とＣＰＵ１０８が検出した１セグの放送番組のコマーシャル放送期間とに基づき、１セグの放送番組の１２セグの放送番組に対する遅延量を算出する。
【００３５】
また、本実施の形態の録画装置１００は、チャプタ情報は、再生中の番組を停止した時間を示すレジューム情報である。
【００３６】
また、本実施の形態の録画装置１００は、チャプタ情報は、リモコン受光部１０７が受け付けたユーザによる１２セグの放送番組に対するチャプタ情報である。
【００３７】
これにより、１２セグ記録コンテンツに付与されたチャプタ情報を１セグ記録コンテンツにダビングした場合であっても、１２セグ記録コンテンツと１セグ記録コンテンツのズレ量を補正してチャプタ情報をダビングしている。したがって、１２セグ記録コンテンツと１セグ記録コンテンツのチャプタ情報のズレを無くすことができる。
【００３８】
なお、記録部１０４に記録している１２セグ記録コンテンツに消去期間が有る場合には、対応する１セグ記録コンテンツを記録する場合に、消去期間をチャプタ情報として１セグ記録コンテンツに記録しても良い。この場合に、１２セグ記録コンテンツと１セグ記録コンテンツのズレ量を補正すれば、より精度の高いチャプタ情報を付与することができる。
【００３９】
図６は、記録媒体受付部１０９に挿入された記録メディアへ１セグ記録コンテンツのダビング実行時に、記録部１０４に記録されているダビング元と同じ放送の１２セグ記録コンテンツに部分消去区間が有り、消去開始ポイントと終了ポイントを１セグ記録コンテンツにチャプタ情報として引き継ぐ事を示している。
【００４０】
図６上部１２セグ記録コンテンツは、横軸を記録されたコンテンツの記録長（ｔ）とし、記録部１０４に記録された１２セグ記録コンテンツのｔＡ位置からｔＢ位置までを部分消去されていることを示している。
【００４１】
図６下部の１セグ記録コンテンツは、横軸を記録されたコンテンツの記録長（ｔ）とし、記録媒体受付部１０９に挿入されている記録メディアに１セグ記録コンテンツをダビング実行後、１２セグ記録コンテンツに設定されている消去開始ポイントＡから消去終了ポイントＢまでの区間情報を、ダビング先の１セグ記録コンテンツにそれぞれチャプタＣ及びチャプタＤとして記録媒体に書き込むことを示している。
【００４２】
この時、図３で検出したズレ量（ΔＴ）を加算する事でズレ量分を補正し、それぞれのチャプタ位置をチャプタＣ＝ｔＡ＋ΔＴ、チャプタＤ＝ｔＢ＋ΔＴとして記録メディアに書き込む。
【００４３】
つまり、本実施の形態の録画装置１００は、ＣＰＵ１０８により１セグの放送番組をダビングする場合に、その１セグの放送番組に対応する１２セグの放送番組の一部が消去されている場合に、その消去されている期間の開始時刻と終了時刻に関する情報をチャプタ情報として１セグの放送番組に付与する場合において、その付与するチャプタ情報を遅延量に基づき遅延させる。
【００４４】
これにより、１２セグ記録コンテンツの消去期間に関するチャプタ情報を精度良く付与することができる。
【００４５】
また、１２セグ放送と１セグ放送のズレに起因して、コンテンツを録画する場合にそのコンテンツの録画を終了すべき時間が異なる。そこで、１２セグ放送と１セグ放送のズレ量に基づき、録画の終了時間を変更しても良い。
【００４６】
図７は、１２セグ放送と１セグ放送の記録開始から記録停止までを示した図である。図７上部１２セグ記録コンテンツは、横軸を記録されたコンテンツの記録長（ｔ）とし、
記録開始から記録停止までの経過を示している。図６下部の１セグ記録コンテンツは、横軸を記録されたコンテンツの記録長（ｔ）とし、記録開始から記録停止までの経過を示している。
【００４７】
図７により、同時に記録している１２セグ放送と１セグ放送の記録を停止するときには、１２セグ放送の記録を停止してから、図３で検出したズレ量分（ΔＴ）経過後、１セグ放送の記録を停止していることを示している。
【００４８】
つまり、本実施の形態の録画装置１００は、１２セグの放送番組と、１２セグの放送番組と同一チャンネルで放送され符号化方式の異なる同一コンテンツである１セグの放送番組を受信して同時に録画可能な録画装置１００であって、１セグの放送番組が１２セグの放送番組に対し遅延している場合において、録画装置１００は、１２セグの放送番組と１セグの放送番組とを受信可能なアンテナ１０１及びチューナ１０２と、ユーザの指示を受け付けるリモコン受光部１０７と、アンテナ１０１及びチューナ１０２が受信した１２セグの放送番組と１セグの放送番組とを録画可能な記録部１０４と１２セグの放送番組の１セグの放送番組に対する遅延量を検出するＣＰＵ１０８と、を備え、記録部１０４に１２セグの放送番組と１セグの放送番組を記録する場合に、遅延量に基づき、１セグの放送番組の記録が終了する終了時間を１２セグの放送番組の記録が終了する終了時間より遅延させる、
これにより、１２セグ記録コンテンツ及び１セグ記録コンテンツの録画の終了時間の精度をより向上させることができる。
【００４９】
なお、本実施の形態においては、１２セグ放送番組のチャプタ情報とその遅延量に応じて１セグ放送番組のチャプタ情報を算出して、その算出したチャプタ情報を１セグ放送番組とともに書き込むとしたが、１２セグ放送番組のチャプタ情報とその遅延量をそのままダビングして、再生装置が記憶媒体にダビングされた１セグ放送番組を再生するときに、１２セグ放送番組のチャプタ情報とその遅延量に応じて１セグの放送番組のチャプタ情報を算出してもよい。
【００５０】
つまり、本実施の形態の録画装置１００は、１２セグ放送番組と、１２セグ放送番組と同一チャンネルで放送され符号化方式の異なる同一コンテンツである１セグ放送番組を受信して同時に録画可能な録画装置１００であって、１セグ放送番組が１２セグ放送番組に対し遅延して放送されており、また、１２セグ放送番組に対しチャプタ情報が付与されて録画装置１００に記憶されている場合において、録画装置１００は、１２セグ放送番組と１セグ放送番組とを受信可能なアンテナ１０１及びチューナ１０２と、ユーザの指示を受け付けるリモコン受光部１０７と、アンテナ１０１及びチューナ１０２が受信した１２セグ放送番組と１セグ放送番組とを同時に録画可能な記録部１０４と１セグ放送番組の１２セグ放送番組に対する遅延量を検出するＣＰＵ１０８と、記録媒体を受け付け可能な記録媒体受付部１０９と、リモコン受光部１０７が記録部１０４に記録されている１２セグ放送番組と１セグ放送番組とからなるコンテンツのダビング指示を受け付けた場合に、１２セグ放送番組のチャプタ情報とその遅延量を１セグ放送番組とともに書き込むＣＰＵ１０８と、を備えている。
【００５１】
最後に請求項の文言と本実施の形態との対応について説明する。アンテナ１０１及びチューナ１０２は受信部の一例である。リモコン受光部１０７はユーザ指示受付部の一例である。記録部１０４は記録部の一例である。ＣＰＵ１０８は検出部の一例である。記録媒体受付部１０９は記録媒体受付部の一例である。ＣＰＵ１０８はダビング部の一例である。ＣＰＵ１０８は第１のコマーシャル検出手段の一例である。ＣＰＵ１０８は第２のコマーシャル検出手段の一例である。
【産業上の利用可能性】
【００５２】
本発明にかかる録画装置は、ある放送方式の放送番組に設定されたチャプタ情報やレジュームポイントを他の放送方式の放送番組に正確に引き継ぐことができるので、これらの放送方式を受信可能な録画装置などに有用である。
【図面の簡単な説明】
【００５３】
【図１】本発明の実施の形態における録画装置１００の構成を示す図
【図２】１２セグメント放送番組と１セグメント放送番組の放送時刻のズレを説明する為の図
【図３】１２セグメント放送番組と１セグメント放送番組のズレ量を算出するフローチャート
【図４】１セグ記録コンテンツのダビング時の動作のフローチャート
【図５】１２セグ記録コンテンツのチャプタ情報を１セグ記録コンテンツに引き継ぐ概略図
【図６】１２セグ記録コンテンツの部分消去区間を、１セグ記録コンテンツにチャプタ情報として引き継ぐ概略図
【図７】１セグメント放送番組の記録停止時には１２セグメント放送番組からのズレ量を加味して記録停止時刻を遅延させることを示す概略図
【符号の説明】
【００５４】
１００    録画装置
１０１    アンテナ
１０２    チューナ
１０３    復調部
１０４    記録部
１０５    ＡＶデコーダ
１０６    出力部
１０７    リモコン受光部
１０８    ＣＰＵ
１０９    記録媒体受付部
２００    リモコン
【図１】
2010206744.tif 000003
【図２】
2010206744.tif 000004
【図３】
2010206744.tif 000005
【図４】
2010206744.tif 000006
【図５】
2010206744.tif 000007
【図６】
2010206744.tif 000008
【図７】
2010206744.tif 000009